【手続補正書】
【提出日】平成22年9月10日(2010.9.10)
【手続補正１】
【補正対象書類名】特許請求の範囲
【補正対象項目名】全文
【補正方法】変更
【補正の内容】
【特許請求の範囲】
【請求項１】
船舶用エンジンの潤滑剤基油と、
アルカリ金属またはアルカリ土類金属で構成された少なくとも１種の過塩基性清浄剤と、
を含むシリンダ潤滑剤であって、
ＡＳＴＭ  Ｄ−２８９６規格に従い測定される塩基価が４０ｍｇＫＯＨ／ｇ以上であり、
さらに、
炭素数が少なくとも１２の飽和性または不飽和性の、直鎖または分岐鎖アルキル基またはアルキレン基を有する第一級モノアルコール、第二級モノアルコールまたは第三級モノアルコールから選択される１種以上の化合物（Ａ）を、当該シリンダ潤滑剤の総重量に対して０．０１〜１０重量％含有している、シリンダ潤滑剤。
【請求項２】
請求項１において、シリンダ潤滑剤の総重量に対して、化合物（Ａ）が０．１〜２重量％含まれるシリンダ潤滑剤。
【請求項３】
請求項１または２において、４０〜７０ｍｇＫＯＨ／ｇの塩基価を有するシリンダ潤滑剤。
【請求項４】
請求項１または２において、５０〜６０ｍｇＫＯＨ／ｇの塩基価を有するシリンダ潤滑剤。
【請求項５】
請求項１または２において、５５ｍｇＫＯＨ／ｇの塩基価を有するシリンダ潤滑剤。
【請求項６】
請求項１〜５のいずれか一項において、化合物（Ａ）が、炭素数１２〜２４のアルキル直鎖を主鎖として含む重質モノアルコールから選択され、
前記アルキル直鎖が、炭素数１〜２３の１つ以上のアルキル基によって任意で置換されていてもよいシリンダ潤滑剤。
【請求項７】
請求項１〜６のいずれか一項において、化合物（Ａ）が、ミリスチルアルコール、パルミチルアルコール、セチルアルコール、ステアリルアルコール、エイコセノイルアルコールおよびベヘニルアルコールから選択される少なくとも１種であるシリンダ潤滑剤。
【請求項８】
請求項１〜７のいずれか一項において、化合物（Ａ）が、イソトリデカノールであるシリンダ潤滑剤。
【請求項９】
請求項１〜８のいずれか一項において、さらに、
分散剤、耐摩耗剤、消泡剤、耐酸化剤および防食剤から選択される少なくとも１種の機能性添加剤を含むシリンダ潤滑剤。
【請求項１０】
請求項１〜９のいずれか一項において、過塩基性清浄剤が、カルボネート、スルホネート、サリチレート、ナフテネートおよびフェネートから選択された少なくとも１種の清浄剤であるシリンダ潤滑剤。
【請求項１１】
請求項１〜１０のいずれか一項において、過塩基性清浄剤が、少なくとも１０重量％含まれるシリンダ潤滑剤。
【請求項１２】
請求項１〜１１のいずれか一項において、過塩基性清浄剤が、カルシウム、マグネシウム、ナトリウムまたはバリウムで構成されるグループから選択される金属系化合物であるシリンダ潤滑剤。
【請求項１３】
請求項１〜１１のいずれか一項において、過塩基性清浄剤が、カルシウムまたはマグネシウムから選択される金属系化合物であるシリンダ潤滑剤。
【請求項１４】
請求項１〜１３のいずれか一項において、過塩基性清浄剤が、アルカリ金属またはアルカリ土類金属の炭酸塩、水酸化物塩、シュウ酸塩、酢酸塩およびグルタミン酸塩で構成されるグループから選択される不溶性の金属塩により過塩基化されているシリンダ潤滑剤。
【請求項１５】
請求項１〜１４のいずれか一項において、過塩基性清浄剤がアルカリ金属またはアルカリ土類金属の炭酸塩であるシリンダ潤滑剤。
【請求項１６】
請求項１〜１５のいずれか一項において、過塩基性清浄剤の少なくとも１種が、炭酸カルシウムにより過塩基化されているシリンダ潤滑剤。
【請求項１７】
請求項１〜１６のいずれか一項において、ポリイソブチレンコハク酸イミド類から選択される分散剤を、少なくとも０．１重量％含むシリンダ潤滑剤。
【請求項１８】
硫黄分が４．５％ｍ／ｍ未満である燃料油に単独で適用可能なシリンダ潤滑剤としての、請求項１〜１７のいずれか一項に記載のシリンダ潤滑剤の使用。
【請求項１９】
硫黄分が０．５〜４％ｍ／ｍである燃料油に単独で適用可能なシリンダ潤滑剤としての、請求項１〜１７のいずれか一項に記載のシリンダ潤滑剤の使用。
【請求項２０】
硫黄分が１．５％ｍ／ｍ未満の燃料油と硫黄分が３％ｍ／ｍ超の燃料油との双方に単独で用いることができるシリンダ潤滑剤としての、請求項１〜１７のいずれか一項に記載のシリンダ潤滑剤の使用。
【請求項２１】
２ストローク船舶用エンジンにおいて、硫黄分が４．５％ｍ／ｍ未満の燃料油の燃焼時に腐食を防止するため、および／または不溶性の金属塩のデポジットを減少させるための、請求項１〜１７のいずれか一項に記載のシリンダ潤滑剤の使用。
【請求項２２】
２ストローク船舶用エンジンにおいて、硫黄分が４．５％ｍ／ｍ未満の燃料油の燃焼時に生成される硫酸をシリンダ潤滑剤で中和する速度の効率性を向上させるために、シリンダ潤滑剤中に界面活性剤として用いられる化合物の使用であって、
前記シリンダ潤滑剤は、ＡＳＴＭ  Ｄ−２８９６規格によって測定される塩基価が４０ｍｇＫＯＨ／ｇ以上であり、
前記化合物は、炭素数が少なくとも１２の飽和性または不飽和性の、直鎖または分岐鎖アルキル基またはアルキレン基を有する第一級モノアルコール、第二級モノアルコールまたは第三級モノアルコールから選択される１種以上の化合物である、使用。
【請求項２３】
請求項２２において、界面活性剤が、シリンダ潤滑剤の総重量に対して、０．０１〜１０重量％、好ましくは、０．１〜２重量％含まれる、使用。
【請求項２４】
請求項２２または２３において、シリンダ潤滑剤が、請求項１〜１７のいずれか一項に記載のシリンダ潤滑剤の特徴を有している、使用。
【請求項２５】
請求項１〜１７のいずれか一項に記載のシリンダ潤滑剤の製造方法であって、
前記シリンダ潤滑剤は、ＡＳＴＭ  Ｄ−２８９６規格に従い測定される塩基価が４０ｍｇＫＯＨ／ｇ以上であり、且つ任意で、１種以上の機能性添加剤を含んでおり、
化合物（Ａ）が、別個の添加剤として前記シリンダ潤滑剤に投入される、
シリンダ潤滑剤の製造方法。
【請求項２６】
船舶用潤滑剤のための添加剤濃縮物に対して化合物（Ａ）を投入し、さらにその混合物を希釈する、請求項１〜１７のいずれか一項に記載のシリンダ潤滑剤の製造方法。
【請求項２７】
ＡＳＴＭ  Ｄ−２８９６規格に従い測定される塩基価が４０ｍｇＫＯＨ／ｇ以上であるシリンダ潤滑剤のための添加剤濃縮物であって、
前記添加剤濃縮物は、炭素数が少なくとも１２の飽和性または不飽和性の、直鎖または分岐鎖アルキル基またはアルキレン基を有する第一級モノアルコール、第二級モノアルコールまたは第三級モノアルコールから選択される１種以上の化合物（Ａ）を、当該添加剤濃縮物の総重量に対して０．０５〜２０重量％含む、シリンダ潤滑剤の添加剤濃縮物。
【請求項２８】
ＡＳＴＭ  Ｄ−２８９６規格に従い測定される塩基価が４０ｍｇＫＯＨ／ｇ以上であるシリンダ潤滑剤のための添加剤濃縮物であって、
前記添加剤濃縮物は、炭素数が少なくとも１２の飽和性または不飽和性の、直鎖または分岐鎖アルキル基またはアルキレン基を有する第一級モノアルコール、第二級モノアルコールまたは第三級モノアルコールから選択される１種以上の化合物（Ａ）を、当該添加剤濃縮物の総重量に対して０．５〜１５重量％含む、シリンダ潤滑剤の添加剤濃縮物。
【請求項２９】
ＡＳＴＭ  Ｄ−２８９６規格に従い測定される塩基価が４０ｍｇＫＯＨ／ｇ以上であるシリンダ潤滑剤のための添加剤濃縮物であって、
前記添加剤濃縮物は、炭素数が少なくとも１２の飽和性または不飽和性の、直鎖または分岐鎖アルキル基またはアルキレン基を有する第一級モノアルコール、第二級モノアルコールまたは第三級モノアルコールから選択される１種以上の化合物（Ａ）を、当該添加剤濃縮物の総重量に対して１５〜８０重量％含む、シリンダ潤滑剤の添加剤濃縮物。
【請求項３０】
請求項２７から２９のいずれか一項において、化合物（Ａ）が重質モノアルコールであり、このモノアルコールは、炭素数１２〜２４のアルキル直鎖を主鎖として有し、
前記アルキル直鎖は、炭素数１〜２３の１つ以上のアルキル基によって任意で置換されていてもよい、シリンダ潤滑剤の添加剤濃縮物。